(57)【要約】【課題】転写ベルトの蛇行制御のステアリング動作にも拘わらずベルト面倒れの発生を防止し、転写部での長いニップ時間（区間）を確保できる液体現像剤像を転写する画像形成装置と画像形成方法を提供することを目的とする。【解決手段】画像形成装置において、転写ベルトを巻き掛けるとともに、前記転写ベルトを介してクリーニング部材と当接する巻回ローラと、前記巻回ローラの少なくとも一端に配された前記転写ベルトの蛇行調整部材と、前記クリーニング部材によりクリーニングされた前記転写ベルトに液体現像剤像を転写させる潜像担持体と、前記巻回ローラと前記潜像担持体との間で前記転写ベルトを前記潜像担持体に近接もしくは当接させる巻き掛けローラと、を有するものである。【選択図】図１
2009186903.tif 000002
【特許請求の範囲】
【請求項１】
転写ベルトを巻き掛けるとともに、前記転写ベルトを介してクリーニング部材と当接する巻回ローラと、前記巻回ローラの少なくとも一端に配された前記転写ベルトの蛇行調整部材と、前記クリーニング部材によりクリーニングされた前記転写ベルトに液体現像剤像を転写させる潜像担持体と、前記巻回ローラと前記潜像担持体との間で前記転写ベルトを前記潜像担持体に近接もしくは当接させる巻き掛けローラと、を有することを特徴とする画像形成装置。
【請求項２】
前記巻回ローラと前記巻き掛けローラの間に前記転写ベルトに当接する固定従動ローラを配した請求項１に記載の画像形成装置。
【請求項３】
前記潜像担持体の前記転写ベルトとの当接部の両側に前記巻き掛けローラを配した請求項１または２に記載の画像形成装置。
【請求項４】
前記巻回ローラの蛇行調整の際の垂直方向の変位位置が前記巻き掛けローラと前記転写ベルトとの当接位置を越えないようにした請求項１〜３のいずれか１つに記載の画像形成装置。
【請求項５】
前記転写ベルトが前記巻回ローラ、ベルト駆動ローラおよびテンションローラに巻き掛けられた請求項１〜４のいずれか１つに記載の画像形成装置。
【請求項６】
前記転写ベルトに色の異なる液体現像剤像を転写する複数の潜像担持体を配し、前記複数の潜像担持体の転写ベルトとのそれぞれの当接部に前記巻き掛けローラを配した請求項１〜５のいずれか１つに記載の画像形成装置。
【請求項７】
潜像担持体に静電潜像を形成し、前記潜像担持体上の静電潜像を現像手段により現像して液体現像剤像を形成し、前記潜像担持体上の液体現像剤像を一次転写手段により中間転写ベルトに一次転写し、前記中間転写ベルト上の液体現像剤像を転写材に二次転写するため、請求項１〜６のいずれか１つに記載の画像形成装置を用いる画像形成方法。
【発明の詳細な説明】
【技術分野】
【０００１】
本発明は、潜像担持体上の液体現像剤像を転写ベルトに転写する画像形成装置と画像形成方法に関するものである。
【背景技術】
【０００２】
液体溶媒中に固体成分からなるトナーを分散させた高粘度の液体現像剤を用いて潜像を現像し、静電潜像を可視化する湿式画像形成装置が種々提案されている。この湿式画像形成装置に用いられる液体現像剤は、シリコンオイルや鉱物油、食用油等からなる電気絶縁性の有機溶剤（キャリア）中に固形分（トナー粒子）を懸濁させたものであり、このトナー粒子は、粒子径が１μｍ前後と極めて微細である。このような微細なトナー粒子を使用することにより、湿式画像形成装置では、粒子径が７μｍ程度の粉体トナー粒子を使用する乾式画像形成装置に比べて高画質化が可能である。液体現像剤を用いた画像形成装置においては、潜像担持体上の液体現像剤像を転写ベルトに転写する画像形成装置が提案されている（例えば、特許文献１参照）。
【特許文献１】特開２００６−７１８３６号公報
【発明の開示】
【発明が解決しようとする課題】
【０００３】
潜像担持体上の液体現像剤像を転写ベルトに転写する画像形成装置は、乾式現像剤を用いて転写ベルトに転写する画像形成装置より長いニップ時間（区間）が必要である。また、転写ベルトの蛇行による画像のずれの発生を防止するためベルト蛇行制御のステアリング動作を行うと、転写部でのベルト面倒れが発生し画像品質を低下させるという問題が発生する。
【０００４】
本発明は、前記従来技術の持つ課題を解決する、転写ベルトの蛇行制御のステアリング動作にも拘わらずベルト面倒れの発生を防止し、転写部での長いニップ時間（区間）を確保できる液体現像剤像を転写する画像形成装置と画像形成方法を提供することを目的とする。
【課題を解決するための手段】
【０００５】
本第１発明は、前記課題を解決するために、画像形成装置において、転写ベルトを巻き掛けるとともに、前記転写ベルトを介してクリーニング部材と当接する巻回ローラと、前記巻回ローラの少なくとも一端に配された前記転写ベルトの蛇行調整部材と、前記クリーニング部材によりクリーニングされた前記転写ベルトに液体現像剤像を転写させる潜像担持体と、前記巻回ローラと前記潜像担持体との間で前記転写ベルトを前記潜像担持体に近接もしくは当接させる巻き掛けローラと、を有するものである。巻回ローラと潜像担持体との間で転写ベルトを潜像担持体に近接もしくは当接させる巻き掛けローラを配することで、巻回ローラの蛇行調整部材による移動によるベルト角度の変化を巻き掛けローラが調整するとともに、潜像担持体と転写ベルトの当接部にロングニップを形成し転写性能を向上することができる。
【０００６】
本第２発明は、本第１発明の画像形成装置において、前記巻回ローラと前記巻き掛けローラの間に前記転写ベルトに当接する固定従動ローラを配したものである。巻回ローラの蛇行調整部材による移動によるベルト角度の変化を確実に調整できる。
【０００７】
本第３発明は、本第１または第２発明の画像形成装置において、前記潜像担持体の前記転写ベルトとの当接部の両側に巻き掛けローラを配したものである。より長いロングニップを形成できるので転写性能を向上することができる。
【０００８】
本第４発明は、本第１〜第３発明のいずれかの画像形成装置において、前記巻回ローラの蛇行調整の際の垂直方向の変位位置が前記巻き掛けローラと前記転写ベルトとの当接位置を越えないようにしたものである。巻き掛けローラが巻回ローラの蛇行調整による垂直方向変位によるベルト角度の変化を確実に調整でき、かつ、ロングニップを形成できる。
【０００９】
本第５発明は、本第１〜第４発明のいずれかの画像形成装置において、前記転写ベルトが前記巻回ローラ、ベルト駆動ローラおよびテンションローラに巻き掛けられたものである。転写ベルトの駆動部やテンション部に影響を与えることなく蛇行調整ができる。
【００１０】
本第６発明は、本第１〜第５発明のいずれかの画像形成装置において、前記転写ベルトに色の異なる液体現像剤像を転写する複数の潜像担持体を配し、前記複数の潜像担持体の転写ベルトの当接部に前記巻き掛けローラを配したものである。各色毎にロングニップを形成でき、カラー画像の転写性能が向上する。
【００１１】
本第７発明は、画像形成方法において、潜像担持体に静電潜像を形成し、前記潜像担持体上の静電潜像を現像手段により現像して液体現像剤像を形成し、前記潜像担持体上の前記液体現像剤像を一次転写手段により中間転写ベルトに一次転写し、前記中間転写ベルト上の液体現像剤像を転写材に二次転写するため、本第１〜第６発明のいずれか１つの画像形成装置を用いるものである。蛇行調整による一次転写への影響を防止でき、ロングニップにの形成により一次転写部での転写性能の良い画像形成方法とすることができる。
【発明を実施するための最良の形態】
【００１２】
以下、本発明の実施の形態を図面に基づいて説明する。図１は、本発明の画像形成装置の第１実施形態の一部概略図である。
【００１３】
複数の像担持体である感光体２０（Ｙ、Ｍ、Ｃ、Ｋ）のトナー像を一次転写する中間転写体である中間転写ベルト７０は、駆動手段７１ｄにより駆動されるベルト駆動ローラ７１ａ、従動ローラ７１ｂ、テンションローラ７１ｃに張架されたエンドレスのベルトであり、潜像担持体である感光体２０（Ｙ、Ｍ、Ｃ、Ｋ）と当接しながら回転駆動される。中間転写ベルト７０の内側の各感光体２０（Ｙ、Ｍ、Ｃ、Ｋ）に対応する位置には、一次転写バイアスを印加するバックアップローラ６５（Ｙ、Ｍ、Ｃ、Ｋ）が配置され、それぞれ一次転写部Ｂ１、Ｂ２、Ｂ３、Ｂ４を形成する。一次転写ユニット６０（Ｙ、Ｍ、Ｃ、Ｋ）の下流に位置する駆動ローラ７１ａと対向する位置に二次転写バイアスを印加する二次転写ローラ８２が配置され二次転写ユニット８０を形成する。
【００１４】
感光体２０（Ｙ、Ｍ、Ｃ、Ｋ）に形成されるトナー像のトナーは、現像ユニット５０（Ｙ、Ｍ、Ｃ、Ｋ）により帯電された帯電極性を有する。感光体２０（Ｙ、Ｍ、Ｃ、Ｋ）上に形成されたトナー像は、感光体２０（Ｙ、Ｍ、Ｃ、Ｋ）の回転に伴って一次転写部Ｂ１、Ｂ２、Ｂ３、Ｂ４位置に至り、中間転写ベルト７０に転写される。この際、一次転写部Ｂ１、Ｂ２、Ｂ３、Ｂ４には、バックアップローラ６５（Ｙ、Ｍ、Ｃ、Ｋ）によりトナーの帯電極性とは逆の極性の一次転写電圧が印加される。この結果、各々の感光体２０（Ｙ、Ｍ、Ｃ、Ｋ）上に形成された４色のトナー像は、中間転写ベルト７０に重なり合って転写され、中間転写ベルト７０上にはフルカラートナー像が形成される。
【００１５】
中間転写ベルト７０上に形成されたフルカラートナー像は、中間転写ベルト７０の回転に伴って二次転写部Ｃ１に至り、二次転写ユニット８０によって転写材に転写される。
【００１６】
中間転写ベルト７０の従動ローラ７１ｂ側には、二次転写後の中間転写ベルト７０の表面をクリーニングする中間転写クリーニングユニット７７が配される。中間転写クリーニングユニット７７は、中間転写クリーニングローラ７２、ローラクリーニングブレード７３、中間転写クリーニングブレード７４により構成される。中間転写クリーニングローラ７２は、ローラ駆動手段７６により駆動される。
【００１７】
ベルト駆動部、ベルトテンション部から離れて配された従動ローラ７１ｂの少なくとも一端部に中間転写ベルト７０の蛇行を調整する蛇行調整部材７１ｆが配される。蛇行調整部材７１ｆによる蛇行調整は、中間転写クリーニングローラ７２、中間転写クリーニングブレード７３が従動ローラ７１ｄに当接しているため、当接位置関係を維持するために中間転写クリーニングユニット７７も従動ローラ７１ｄの蛇行調整に追随するように構成することが望ましい。また、蛇行調整の方向は、テンションローラ７１ｃのテンション方向に影響を与えないで、中間転写ベルト７０のベルト周長変化の少ない方向にするのが望ましい。
【００１８】
液体現像剤像を中間転写ベルト７０に一次転写するには、乾式現像剤を用いて中間転写ベルト７０に転写する一次転写より長いニップ時間（区間）が必要である。そのため、この実施形態では、感光体２０（Ｙ、Ｍ、Ｃ、Ｋ）と中間転写ベルト７０との一次転写部Ｂ１、Ｂ２、Ｂ３、Ｂ４の一次転写処理の上流側に、中間転写ベルト７０を感光体２０（Ｙ、Ｍ、Ｃ、Ｋ）に近接もしくは当接させる巻き掛けローラ６６（Ｙ、Ｍ、Ｃ、Ｋ）（以下、「前ローラ」という。）を配置する。
【００１９】
前ローラ６６（Ｙ、Ｍ、Ｃ、Ｋ）は、一次転写部Ｂ１、Ｂ２、Ｂ３、Ｂ４でロングニップを形成する機能を有する。特に最初の色の一次転写部Ｂ１に配置された前ローラ６６Ｙは、従動ローラ７１ｂに設置される中間転写ベルト７０の蛇行を調整する蛇行調整部材７１ｆの蛇行調整（ステアリング）による従動ローラ７１ｂの変位に伴う中間転写ベルト７０のベルト角度の変化による一次転写部Ｂ１でのベルト面倒れの発生を防止する機能を持つ。それ以外の一次転写部Ｂ２、Ｂ３、Ｂ４に配置された前ローラ６６（Ｍ、Ｃ、Ｋ）も、下流に行くに従いその影響が小さくなるが、従動ローラ７１ｂの変位に伴う中間転写ベルト７０のベルト角度の変化による一次転写部Ｂ２、Ｂ３、Ｂ４でのベルト面倒れの発生を防止する機能を持つ。前ローラ６６（Ｙ、Ｍ、Ｃ、Ｋ）の設置により、従動ローラ７１ｂの蛇行調整による変位に拘わらず一次転写部Ｂ１、Ｂ２、Ｂ３、Ｂ４でのベルト面倒れの発生を防止し、一次転写部Ｂ１、Ｂ２、Ｂ３、Ｂ４でロングニップを形成することができるので転写性能を向上することができる。
【００２０】
図２は、本発明の画像形成装置の第２実施形態の一部概略図である。この実施形態では、従動ローラ７１ｂと前ローラ６６Ｙの間に固定従動ローラ７１ｅを中間転写ベルト７０に当接するように設置する。固定従動ローラ７１ｅの垂直方向位置は、従動ローラ７１ｂと前ローラ６６Ｙの垂直方向位置の間になるように設置する。固定従動ローラ７１ｅの設置により、蛇行調整（ステアリング）による従動ローラ７１ｂの変位に伴う中間転写ベルト７０のベルト角度の変化の一次転写部への影響を緩和され、さらに前ローラ６６Ｙによりその影響がより改善され、一次転写部Ｂ１でのベルト面倒れが防止できる。
【００２１】
図３は、本発明の画像形成装置の第３実施形態の一部概略図である。この実施形態では、感光体２０（Ｙ、Ｍ、Ｃ、Ｋ）と中間転写ベルト７０との一次転写部Ｂ１、Ｂ２、Ｂ３、Ｂ４の一次転写処理の上流側に第１、第２実施形態と同様に前ローラ６６（Ｙ、Ｍ、Ｃ、Ｋ）を配置し、さらに一次転写処理の下流側に、中間転写ベルト７０を感光体２０（Ｙ、Ｍ、Ｃ、Ｋ）に近接もしくは当接させる巻き掛けローラ６７（Ｙ、Ｍ、Ｃ、Ｋ）（以下、「後ローラ」という。）を配置する。一次転写部Ｂ１、Ｂ２、Ｂ３、Ｂ４の一次転写処理の上流側と下流側に前ローラ６６（Ｙ、Ｍ、Ｃ、Ｋ）と後ローラ６７（Ｙ、Ｍ、Ｃ、Ｋ）を設置することにより、一次転写部Ｂ１、Ｂ２、Ｂ３、Ｂ４でより長いロングニップを形成することができ、転写性能を向上することができる。さらに、蛇行調整（ステアリング）による従動ローラ７１ｂの変位に伴う中間転写ベルト７０のベルト角度の変化による一次転写部Ｂ１、Ｂ２、Ｂ３、Ｂ４でのベルト面倒れの発生を防止する機能を持つ。図３に示される実施形態においても、図２に示されるような固定従動ローラ７１ｅを設置しても良い。
【００２２】
図４は、従動ローラ７１ｄの蛇行調整の際の変位方向を示す図である。従動ローラ７１ｄの蛇行調整による垂直方向の変位は、前ローラ６６Ｙの中間転写ベルト７０との当接位置を越えない範囲とする。従動ローラ７１ｄの蛇行調整による垂直方向の変位は、前ローラ６６Ｙの中間転写ベルト７０との当接位置を越えると、前ローラ６６Ｙによる従動ローラ７１ｂの変位に伴う中間転写ベルト７０のベルト角度の変化による一次転写部Ｂ１でのベルト面倒れの発生を防止する機能と、一次転写部Ｂ１でのロングニップを形成する機能が失われるからである。
【００２３】
図５は、本発明の画像形成装置１０の全体概略図である。図５に示すように、４つの画像形成ステーション１５（Ｙ、Ｍ、Ｃ、Ｋ）、中間転写ベルト７０、二次転写ユニット８０を有し、さらに、定着ユニット９０、ユーザへの報知手段をなし液晶パネルからなる表示ユニット９５、及び、これらのユニット等を制御し画像形成装置としての動作を司る制御ユニット１００を有している。
【００２４】
画像形成ステーション１５（Ｙ、Ｍ、Ｃ、Ｋ）は、それぞれ、イエロー（Ｙ）、マゼンタ（Ｍ）、シアン（Ｃ）、ブラック（Ｋ）のトナーで画像を形成する機能を有している。画像形成ステーション１５（Ｙ、Ｍ、Ｃ、Ｋ）の構成は同様であるので、以下、画像形成ステーション１５Ｙについて説明する。
【００２５】
画像形成ステーション１５Ｙは、図５に示すように、像担持体の一例としての感光体２０Ｙの回転方向に沿って、帯電ユニット３０Ｙ、露光ユニット２３Ｙ、現像装置の一例としての現像ユニット５０Ｙ、一次転写部Ｂ１、感光体クリーニングユニット７５Ｙを有している。
【００２６】
感光体２０Ｙは、円筒状の基材とその外周面に形成された感光層を有し、中心軸を中心に回転可能であり、本実施の形態においては、矢印で示すように時計回りに回転する。
【００２７】
帯電ユニット３０Ｙは、感光体２０Ｙを帯電するための装置である。露光ユニット２３Ｙからは、レーザを照射することによって帯電された感光体２０Ｙ上に潜像を形成する。
【００２８】
露光ユニット２３Ｙは、半導体レーザ、ポリゴンミラー、Ｆ−θレンズ等を有しており、パーソナルコンピュータ、ワードプロセッサ等の不図示のホストコンピュータから入力された画像信号に基づいて、変調されたレーザを帯電された感光体２０Ｙ上に照射する。
【００２９】
現像ユニット５０Ｙは、感光体２０Ｙ上に形成された潜像を、イエロー（Ｙ）の液体現像材を用いて現像するための装置である。
【００３０】
現像ユニット５０Ｙで使用される液体現像剤は、トナーに使用される公知の熱可塑性樹脂中へ同じく公知の顔料等の着色剤を分散させた例えば平均粒径１μｍの粒子を用いることができる。一方、液体キャリアとしては、低粘性低濃度の液体現像剤の場合は、例えばＩｓｏｐａｒ（商標：エクソン社）の絶縁性液体キャリアを用いることができる。また、液体キャリアとして、高粘性高濃度の液体現像剤の場合は、例えば、有機溶媒、フェニルメチルシロキサン、ジメチルポリシロキサンおよびポリジメチルシクロシロキサン等の引火点２１０℃以上のシリコーンオイル、鉱物油、沸点１７０℃以上で４０℃での粘度が３ｍＰａ・ｓの比較的低粘度の流動パラフィンなどの脂肪族飽和炭化水素、ノルマルパラフィン、植物油、食用油、高級脂肪酸エステル、等の絶縁性液体キャリアを用いることができる。そして、液体現像剤２３Ｙ,２３Ｍ,２３Ｃ,２３Ｋはトナー粒子を液体キャリアへ分散剤とともに添加し、トナー固形分濃度を約２０％としたものである。
【００３１】
一次転写部Ｂ１、Ｂ２、Ｂ３、Ｂ４は、感光体２０Ｙに形成されたイエロー液体現像剤像を中間転写ベルト７０に転写するところである。
一次転写部Ｂ１、Ｂ２、Ｂ３、Ｂ４で４色のトナーが順次重ねて転写された場合には、中間転写ベルト７０にフルカラー液体現像剤像が形成される。
【００３２】
中間転写ベルト７０は、ベルト駆動ローラ７１ａ、テンションローラ７１ｃ、従動ローラ７１ｄに張架されたエンドレスのベルトであり、感光体２０（Ｙ、Ｍ、Ｃ、Ｋ）と当接しながら回転駆動される。
【００３３】
二次転写ユニット８０は、中間転写ベルト７０上に形成された単色液体現像剤像やフルカラー液体現像剤像を紙、フィルム、布等の転写材に転写するための装置である。
【００３４】
定着ユニット９０は、定着ローラ９０ａと加圧ローラ９０ｂにより構成され、転写材上に転写された単色液体現像剤像やフルカラー液体現像剤像を転写材に融着させて永久像とするための装置である。
【００３５】
感光体クリーニングユニット７５Ｙは、感光体２０Ｙの表面に当接されたゴム製の感光体クリーニングブレード７６Ｙ（図５）を有し、一次転写部Ｂ１で中間転写ベルト７０上に液体現像剤像が転写された後に、感光体２０Ｙ上に残存する液体現像剤を感光体クリーニングブレード７６Ｙにより掻き落として除去するための装置である。
【００３６】
中間転写ベルトクリーニングユニット７６は、中間転写クリーニングローラ７２、ローラクリーニングブレード７３、中間転写クリーニングブレード７４により構成される。中間転写クリーニングローラ７２は、ローラ駆動手段７６により駆動される。
【００３７】
次に、このように構成された画像形成装置１０の動作について説明する。
【００３８】
まず、不図示のホストコンピュータからの画像信号及び制御信号がインターフェイスを介して画像形成装置のメインコントローラに入力されると、このメインコントローラからの指令に基づくユニットコントローラの制御により感光体２０Ｙ、現像ユニット５０Ｙに備えられた現像ローラ、及び、中間転写ベルト７０等が回転する。感光体２０Ｙは、回転しながら、帯電位置において帯電ユニット３０Ｙにより順次帯電される。
【００３９】
感光体２０Ｙの帯電された領域は、感光体２０Ｙの回転に伴って露光位置に至り、露光ユニット２３Ｙによって、イエローＹの画像情報に応じた潜像が該領域に形成される。
【００４０】
感光体２０Ｙ上に形成された潜像は、感光体２０Ｙの回転に伴って現像位置に至り、現像ユニット５０Ｙによって現像される。これにより、感光体２０Ｙ上に液体現像剤像が形成される。
【００４１】
感光体２０Ｙ上に形成された液体現像剤像は、感光体２０Ｙの回転に伴って一次転写部Ｂ１位置に至り、一次転写ユニットによって、中間転写ベルト７０に転写される。一次転写部Ｂ１の上流側には中間転写ベルト７０を感光体２０Ｙに近接もしくは当接させる前ローラ６６Ｙを配置し、必要に応じて一次転写部Ｂ１の下流側に後ローラ６７Ｙを配置してロングニップを形成する。この際、一次転写ユニットには、トナーの帯電極性とは逆の極性の一次転写電圧が印加される。この結果、各々感光体２０（Ｙ、Ｍ、Ｃ、Ｋ）上に形成された４色の液体現像剤像は、中間転写ベルト７０に重なり合って転写され、中間転写ベルト７０上にはフルカラー液体現像剤像が形成される。
【００４２】
中間転写ベルト７０は、モータ等のベルト駆動手段７１ｄからの駆動力がベルト駆動ローラ７１ａを介して伝達されることによって駆動される。
【００４３】
中間転写ベルト７０上に形成されたフルカラー液体現像剤像は、二次転写ユニット８０によって紙等の転写材に転写される。このような転写材は、給紙トレイ９２から、給紙ローラ９４ａ、レジローラ９４ｂを介して二次転写ユニット８０へ搬送される。
【００４４】
フルカラー液体現像剤像が二次転写ユニット８０によって転写材に転写された後、中間転写ベルト７０はさらに反時計回りに回転して、中間転写ベルト７０表面に残留したトナーを、中間転写ベルトクリーニングユニット８７によって除去する。
【００４５】
転写材に転写されたフルカラー液体現像剤像は、定着ユニット９０によって加熱加圧されて転写材に融着される。定着ユニット９０の通過後、排紙ローラ９４ｃにより排紙される。
【００４６】
一方、感光体２０（Ｙ、Ｍ、Ｃ、Ｋ）は一次転写部Ｂ１、Ｂ２、Ｂ３、Ｂ４位置を経過した後に、除電ユニット（図示せず）によって除電され、さらに、感光体クリーニングユニット７５（Ｙ、Ｍ、Ｃ、Ｋ）に支持された感光体クリーニングブレード７６（Ｙ、Ｍ、Ｃ、Ｋ）（図１）によって、その表面に付着しているトナーが掻き落とされ、次の潜像を形成するための帯電に備える。掻き落とされたトナーは、感光体クリーニングユニット７５（Ｙ、Ｍ、Ｃ、Ｋ）が備える残存トナー回収部に回収される。
【００４７】
二次転写後の中間転写ベルト７０の従動ローラ７１ｂ側に中間転写ベルトクリーニング装置７７が設置される。中間転写ベルトクリーニング装置７７は、中間転写クリーニングローラ７２と、中間転写クリーニングブレード７３を備えている。中間転写クリーニングローラ７２には、トナーの帯電極性と逆極性の電圧を印加するバイアス印加手段（図示せず）が配され、中間転写ベルト７０上の残留トナーを静電吸着して除去する。中間転写クリーニングローラ７２にローラクリーニングブレード７３が当接し、中間転写クリーニングローラ７２上のトナーを掻き取り除去する。中間転写クリーニングローラ７２はローラ駆動手段７６により駆動され、その際の周速は中間転写ベルト７０の周速より若干遅いほぼ等速とする。
【００４８】
中間転写クリーニングローラ７２の下流で中間転写クリーニングブレード７４が中間転写ベルト７０に当接し、中間転写ベルト７０上の残存トナーを掻き取り除去する。中間転写クリーニングローラ７２の静電吸着により残トナーの固形分が多く除去されるので、その下流で中間転写ベルト７０に当接する中間転写クリーニングブレード７４のクリーニング負担が軽減される。
【図面の簡単な説明】
【００４９】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【符号の説明】
【００５０】
１０：画像形成装置、２０（Ｙ、Ｍ、Ｃ、Ｋ）：感光体、２３（Ｙ、Ｍ、Ｃ、Ｋ）：露光ユニット、３０（Ｙ、Ｍ、Ｃ、Ｋ）：帯電ユニット、５０（Ｙ、Ｍ、Ｃ、Ｋ）：現像ユニット、７０：中間転写ベルト、８０：二次転写ユニット、９０：定着ユニット
【図１】
2009186903.tif 000003
【図２】
2009186903.tif 000004
【図３】
2009186903.tif 000005
【図４】
2009186903.tif 000006
【図５】
2009186903.tif 000007